(57)【要約】【課題】移動端末装置の現在位置データと制御対象機器の、ある状態から指定したある状態に変化するまでの時間から制御開始信号の送信時期を判断し、遠隔地から制御開始信号を送信する移動端末装置を提供する。【解決手段】携帯端末（移動端末）制御手段２０５は位置検出手段２０７からの現在位置データと前記現在位置データから求める移動端末装置の移動速度と制御対象機器のある状態から指定したある状態に変化するまでの時間から、制御開始時期を判断し、遠隔地から制御開始信号を送信するため、ふろの湯張りの様な時間を要する機器の利用においても、帰宅時には制御が完了し快適な生活環境を得ることができる。【選択図】図２
2005223799.tif 000002
【特許請求の範囲】
【請求項１】
移動端末装置の現在の位置を検出し現在位置データを出力する位置検出手段と、前記現在位置データから求める移動端末装置の移動速度と制御対象機器のある状態から指定したある状態に変化するまでの時間から、制御対象機器の制御開始信号の送信時期を判定する移動端末制御手段と、前記制御開始信号を送信して制御対象機器を制御する情報通信手段とを備えた移動端末装置。
【請求項２】
前記移動端末装置は表示手段を備え、前記移動端末制御手段が制御対象機器の制御開始信号の送信時期を判定した時、前記表示手段に制御対象機器の制御を実行するか否かを報知して機器を選択させることを特徴とした請求項１に記載の移動端末装置。
【請求項３】
前記移動端末制御手段が制御対象機器の制御開始信号の送信時期を判定した時、前記表示手段に前記報知を行うか否かを選択させることを特徴とした請求項２に記載の移動端末装置。
【請求項４】
前記移動端末装置から制御対象機器の制御開始信号の送信を行い、前記移動端末装置が制御対象機器からの制御完了信号を受信した時、前記表示手段に制御完了の報知をすることを特徴とした請求項１〜３のいずれか１項に記載の移動端末装置。
【請求項５】
前記移動端末装置が制御対象機器からの制御完了信号を受信した時に、前記表示手段に制御対象機器の制御完了の報知を行うか否かを選択させることを特徴とした請求項４に記載の移動端末装置。
【請求項６】
前記移動端末制御手段は位置検出手段が出力する現在位置データから移動速度を計測し、移動速度に応じて制御対象機器の最適な制御パターンを制御対象機器へ送信することを特徴とした請求項１〜５のいずれか１項に記載の移動端末装置。
【請求項７】
前記移動端末装置は不揮発性メモリを有し、前記不揮発性メモリへ制御対象機器の機器情報を保存する不揮発性メモリ制御手段を有する請求項１〜６のいずれか１項に記載の移動端末装置。
【請求項８】
請求項１〜７のいずれか１項記載の移動端末装置の機能の少なくとも一部をコンピュータに実現させるためのプログラムである。
【発明の詳細な説明】
【技術分野】
【０００１】
本発明は、移動端末装置の現在位置データと制御対象機器の、ある状態から指定したある状態に変化するまでの時間から制御対象機器の制御開始信号の送信時期を判断し、遠隔地から制御対象機器へ制御開始信号を送信する移動端末装置およびそのプログラムに関するものである。
【背景技術】
【０００２】
従来、この種の移動端末装置としては、携帯端末において自宅外で番組サーバから電子番組表を取得し特定の番組について自宅内ＡＶ機器の制御予約情報を端末内に保存し、ＧＰＳ（Ｇｌｏｂａｌ  Ｐｏｓｉｔｉｏｎｉｎｇ  Ｓｙｓｔｅｍ）等により検出した現在位置が自宅範囲以内に入ったときまたは後、制御予約情報に従って近距離無線通信によりＡＶ機器の制御を行うことが行われている（例えば特許文献１参照）。
【０００３】
図７は、特許文献１に記載された従来の移動端末装置の機器予約制御システムの概略構成図を示すものである。図７に示すように番組サーバ７００からインターネット７０１経由で交換局７０２および最寄りの基地局７０３を含む通信網を介してテレビの電子番組表データを取得し、所望のテレビ番組を確認しその録画予約情報を携帯端末７０４に保存する。その後、ＧＰＳ等により検出した携帯端末装置７０４の現在位置が自宅位置範囲内に入ったときまたは後、制御予約情報に従って近距離無線通信により自宅７０５にあるＡＶ機器７０６の制御を行う。また、録画予約情報の保存を携帯端末装置７０４と同時に予約サーバ７０７にも保存し、制御予約情報に従って携帯端末装置７０４、予約サーバ７０７のどちらからもＡＶ機器７０６の制御を行うことが可能である。
【特許文献１】特開２００２−２４７６５８号公報
【発明の開示】
【発明が解決しようとする課題】
【０００４】
しかしながら、前記従来の構成では、ふろの湯張りや節電中の湯沸かしポットの再沸騰やエアコンによる部屋の温調の様な指定したある状態に変化するまでに時間を要する機器に対しても、携帯端末装置がきわめて自宅から近い自宅位置範囲内（約１０ｍ）に入らなければ制御が実行されないため、使用者が帰宅してからも指定した状態になるまで（例えば、ふろの湯張り開始から湯張り完了まで）しばらく時間を待たなければならないという課題を有していた。
【０００５】
本発明は、前記従来の課題を解決するもので、移動端末装置の現在位置データと前記現在位置データから求める移動端末装置の移動速度と制御対象機器のある状態から指定したある状態に変化するまでの時間から、制御対象機器の制御開始信号の送信時期を判定し、遠隔地から制御対象機器へ制御開始信号を送信し、目的地到着時には機器の状態が指定したある状態に変化が完了しており、快適な生活環境を得られる移動端末装置を提供することを目的とする。
【課題を解決するための手段】
【０００６】
前記従来の課題を解決するために、本発明の移動端末装置およびそのプログラムは、移動端末装置の現在の位置を検出し現在位置データを出力する位置検出手段と、前記現在位置データから求める移動端末装置の移動速度と制御対象機器のある状態から指定したある状態に変化するまでの時間から、制御対象機器の制御開始信号の送信時期を判定する移動端末制御手段と、前記制御開始信号を送信して制御対象機器を制御する情報通信手段とを備えていることを特徴としたものである。
【０００７】
これによって、例えばふろの湯張りや節電中の湯沸かしポットの再沸騰やエアコンによる部屋の温調の様な指定したある状態へ変化するまでに時間を要する機器の利用においても、帰宅時には機器の状態が指定したある状態に変化が完了しており、快適な生活環境を得ることができる。
【０００８】
また、移動端末制御手段は位置検出手段が出力する現在位置データから移動速度を計測し、移動速度に応じて制御対象機器の最適な制御パターンを制御対象機器へ送信することを特徴としたものである。
【０００９】
これによって、帰宅中の移動速度が変わり帰宅時間が早くなる場合（例えば徒歩での帰宅途中にタクシーを利用した場合）でも、例えばエアコンのコンプレッサーの回転数を増加する冷却モードに変更するような制御開始信号を自宅へ送信することによって通常の速度で帰宅したときと変わりなく快適な生活環境を得ることができる。
【発明の効果】
【００１０】
本発明の移動端末装置およびそのプログラムは、移動端末装置の現在位置データと前記現在位置データから求める移動端末装置の移動速度と制御対象機器のある状態から指定したある状態に変化するまでの時間から、制御対象機器の制御開始時期を判断し、遠隔地から制御対象機器へ制御開始信号を送信するため、例えばふろの湯張りや節電中の湯沸かしポットの再沸騰やエアコンによる部屋の温調の様な指定したある状態へ変化するまで時間を要する機器の利用においても、帰宅時には機器の状態が指定したある状態へ変化が完了しており、快適な生活環境を得ることができる。
【００１１】
また、現在位置データから移動速度を計測し、移動速度に応じて制御対象機器の最適な制御パターンを制御対象機器へ送信するため、帰宅中の移動速度が変わり帰宅時間が早くなる場合でも、例えばエアコンのコンプレッサーの回転数を増加する冷却モードに変更するような制御開始信号を自宅へ送信することによって通常の速度で帰宅したときと変わりなく快適な生活環境を得ることができる。
【発明を実施するための最良の形態】
【００１２】
第１の発明は、移動端末装置の現在の位置を検出し現在位置データを出力する位置検出手段と、前記現在位置データから求める移動端末装置の移動速度と制御対象機器のある状態から指定したある状態に変化するまでの時間から、制御対象機器の制御開始信号の送信時期を判定する移動端末制御手段と、前記制御開始信号を送信して制御対象機器を制御する情報通信手段とを備えた移動端末装置を特徴とし、現在位置データと前記現在位置データから求める移動端末装置の移動速度と制御対象機器のある状態から指定したある状態に変化するまでの時間から、制御対象機器の制御開始時期を判断し、遠隔地から制御対象機器へ制御開始信号を送信するため、例えばふろの湯張りや節電中の湯沸かしポットの再沸騰やエアコンによる部屋の温調の様な制御開始から制御完了まで時間を要する機器の利用においても、帰宅時には制御が完了し快適な生活環境を得ることができる。
【００１３】
第２の発明は、特に、第１の発明の移動端末装置において、前記移動端末装置は表示手段を備え、前記移動端末制御手段が制御対象機器の制御開始信号の送信時期を判定した時、前記表示手段に制御対象機器の制御を実行するか否かを報知して機器を選択させることを特徴とし、使用者が帰宅時に使用する機器の選別が可能なため、使用しない機器においては電気代の無駄な消費が削減でき、サービス性が高くなる。
【００１４】
第３の発明は、特に、第２の発明の移動端末装置において、前記移動端末制御手段が制御対象機器の制御開始信号の送信時期を判定した時、前記表示手段に前記報知を行うか否かを選択させることを特徴とし、使用者が報知の有無の選択を機器全体または機器毎に行えるため、例えば機器毎に設定した場合、部屋の照明は帰宅時間に関係なく必ず点灯させたいので報知なしの設定とし、また窓のカーテンの開閉は帰宅時間が昼と夜によって制御内容を変更したいため報知ありの設定とするなど、使用者に対してサービス性が高くなる。
【００１５】
第４の発明は、特に、第１〜３のいずれか１つの発明の移動端末装置において、前記移動端末装置から制御対象機器の制御開始信号の送信を行い、前記移動端末装置が制御対象機器からの制御完了信号を受信した時、前記表示手段に制御完了の報知をすることを特徴とし、制御対象機器の制御完了の確認が行えるため、使用者は制御完了の安心感と帰宅するまでに制御完了していなければ予め制御対象機器の故障を予測することができる。
【００１６】
第５の発明は、特に、第４の発明の移動端末装置において、前記移動端末装置が制御対象機器からの制御完了信号を受信した時に、前記表示手段に制御対象機器の制御完了の報知を行うか否かを選択させることを特徴とし、使用者が報知の有無の選択が行えるため、例えば報知なしの選択をしている時、使用者は制御完了の度に移動端末装置からの報知に注意をとられることがなくなり、サービス性が高くなる。
【００１７】
第６の発明は、特に、第１〜５のいずれか１つの発明の移動端末装置において、前記移動端末制御手段は位置検出手段が出力する現在位置データから移動速度を計測し、移動速度に応じて制御対象機器の最適な制御パターンを制御対象機器へ送信することを特徴とし、移動速度に応じて制御対象機器の制御パターンの変更ができるため、帰宅中の移動速度が変わり帰宅時間が早くなる場合でも、例えばエアコンのコンプレッサーの回転数を増加する冷却モードに変更するような制御開始信号を自宅へ送信することによって帰宅時には通常の速度で帰宅したときと変わりなく快適な生活環境を得ることができる。
【００１８】
第７の発明は、特に、第１〜６のいずれか１つの発明の移動端末装置において、前記移動端末装置は不揮発性メモリを有し、前記不揮発性メモリへ制御対象機器の機器情報を保存する不揮発性メモリ制御手段を有することを特徴とし、制御対象機器の機器情報を移動端末装置に１度登録するだけで、使用者は毎日使用する制御対象機器の登録を行う必要がなくなる。また移動端末装置の電源ＯＦＦまたはバッテリー切れなどが発生しても、制御対処機器の機器情報を損なうことがなくなる。
【００１９】
第８の発明は、第１〜７の発明のいずれか１項の移動端末装置の機能の少なくとも一部をコンピュータに実現させるためのプログラムである。そして、プログラムであるので、電気・情報機器、コンピュータ、サーバ等のハードリソースを協働させて本発明の移動端末装置の少なくとも一部を容易に実現することができる。また記録媒体に記録したり通信回線を用いてプログラムを配信したりすることでプログラムの配布・更新やインストール作業が簡単にできる。
【００２０】
以下本発明の実施の形態について、図面を参照しながら説明する。なお、この実施の形態によって本発明が限定されるものではない。
【００２１】
（実施の形態１）
実施の形態では、移動端末装置を、使用者が携帯して用いる携帯端末装置を例にして説明する（例えばＧＰＳ内蔵の携帯電話や情報端末装置）。移動端末装置は自動車など乗り物が備えるナビゲーション装置であってもよい。また位置情報の検出はＧＰＳに限らず移動体通信網のセルの移動情報などを用いても良い。
【００２２】
図１は本発明の第１の実施の形態における携帯端末装置のシステム構成図、図２、図３は本発明の第１の実施の形態における携帯端末装置（以下携帯端末という）、宅内通信装置のブロック図を示すものである。
【００２３】
図１において、携帯端末１０１は位置検出手段としてＧＰＳ機能を備えている。本実施の携帯では携帯端末の一例として携帯電話機を想定しているが、通信機能を内蔵または装備できるＰＤＡ（Ｐｅｒｓｏｎａｌ  Ｄｉｇｉｔａｌ  Ａｓｓｉｓｔａｎｔ）等、任意の携帯型の端末装置であれば本発明を適用することができる。
【００２４】
この携帯端末１０１の所有者（以下使用者という）の自宅１０４の宅内通信装置１０３と、機器Ａ１０５、機器Ｂ１０６、機器Ｃ１０７は宅内通信回線１０８によって接続されている。宅内通信回線１０８は無線ＬＡＮ、Ｂｌｕｅｔｏｏｔｈ（Ｒ）または特定小電力無線など無線を媒体として利用することも可能で、その場合、宅内通信装置１０３と機器Ａ１０５、機器Ｂ１０６、機器Ｃ１０７はそれぞれ無線通信ユニットを装着する必要がある。情報端末１０１と宅内通信装置１０３は、インターネットなど宅外通信回線１０２を介して接続されている。
【００２５】
以上のように構成された携帯端末について、以下その動作、作用を説明する。
【００２６】
図２において、携帯端末１０１の位置検出手段２０７はＧＰＳ用の衛生からの電波受信のためのアンテナ２０９に接続されている。携帯端末制御手段２０５は、図１に示すように携帯端末１０１が地点Ａから地点Ｂへ移動した場合、位置検出手段２０７が出力する現在位置データから携帯端末１０１の現在位置と、過去にサンプリングしたいくつかの現在位置データとデータのサンプリングの時間間隔から携帯端末１０１の移動速度を求める。
【００２７】
携帯端末１０１は、不揮発性メモリ２０４に遠隔制御を行う全ての制御対象機器の、ある状態から指定したある状態に変化するまでの標準時間（例えば、ふろの湯張り開始から湯張り完了までの時間）、制御パターン（例えばエアコンであればインバータ制御におけるいくつかのコンプレッサーの指令回転数など）、機器名、メーカー名、製造年月日などの製品情報を合わせて機器情報として登録している。携帯端末１０１への機器情報の登録において具体的な制御様態については後に詳述する。
【００２８】
携帯端末制御手段２０５は登録されている全ての制御対象機器に対して位置検出手段２０７が出力する現在位置データと、上述の携帯端末１０１の移動速度から帰宅までにかかるまでの時間を算出し、不揮発性メモリ２０４に登録されている機器情報に含まれる、ある状態から指定したある状態に変化するまでの時間とを比較して、帰宅までにかかる時間と使用者が自宅へ到着するまでに制御対象機器の機器の状態が指定したある状態への変化が完了している制御開始信号の送信時期の判定処理を行う。この判定処理は周期的（時刻指定や現在位置データによる場所指定）、または間欠的（数秒または数十秒間隔で継続的に）、またはそれらの複合で実行される。移動速度に応じて判定処理の周期を変更してもよい。また、制御開始信号には制御を開始するか否かの情報と、上述した機器情報を含むものとする。
【００２９】
図４は携帯端末１０１にふろのお湯張り制御を行うか否かの確認画面のイメージ図である。携帯端末制御手段２０５は制御対象機器に対して制御開始信号の送信時期が来ると、表示手段２０１に制御対象機器の制御を実行するか否かの確認画面の表示を行う。図４において「お湯張りを開始しますか？」の制御を行うか否かの確認画面の表示に対して、キー入力手段２０２の操作により「はい」または「いいえ」のボタンを押下する。「はい」のボタンを押下すると、図２の携帯端末制御手段２０５は情報通信手段２０６へ制御開始信号の出力指示を行い、情報通信手段２０６はインターネットなどの宅外通信回線１０２を介して制御対象機器へ制御開始信号を出力する。
【００３０】
表示手段２０１に表示される制御対象機器の制御を実行するか否かの確認画面の表示は、使用者の設定によって全ての機器にまたは機器毎に対して報知のあり、なしの選択設定を行うこともできる。例えば機器毎に設定した場合、部屋の照明は帰宅時間に関係なく必ず点灯させたいので報知なしの設定とし、また窓のカーテンの開閉は帰宅時間が昼と夜によって制御内容を変更したいため報知ありの設定とするなど、使用者に対してサービス性が高くなる。また、制御対象機器の制御を実行するか否かの確認画面の表示が行われた時、使用者がこの確認画面に気づくように携帯端末１０１からアラーム音や音声メッセージ、振動などを発生することが好ましい。
【００３１】
図３において、宅内通信制御手段３０３は携帯端末１０１からの制御開始信号を、宅外通信回線１０２と通信手段Ｂ３０１を介して受信する。宅内通信制御手段３０３は受信した制御開始信号に含まれる機器情報と記憶手段３０２に登録している機器情報から制御対象機器を確認し、制御対象機器に通信手段Ａ３０４と宅内通信回線１０８を介して制御開始信号を送信する。制御対象機器は機器情報に指示された制御パターンに従って機器制御を開始する。また、受信した機器情報と記憶手段３０２に登録している機器情報が一致しない場合は、受信した制御開始信号は無効とする。
【００３２】
図５は携帯端末１０１にふろのお湯張り制御完了の確認画面のイメージ図である。宅内通信装置１０３は、携帯端末１０１からふろ（仮に機器Ａ１０５とする）のお湯張りが完了した時、宅内通信制御手段３０３は機器Ａ１０５から宅内通信回線１０８と通信手段Ａ３０４を介して制御完了信号を受信する。宅内通信制御手段３０３は通信手段Ｂ３０１と宅外通信回線１０２を介して携帯端末１０１へ機器Ａ１０５の制御完了信号を送信する。制御完了信号には記憶手段３０２に登録している機器情報を含む。
【００３３】
携帯端末１０１の携帯端末制御手段２０５はアンテナ２０８と情報通信手段２０６とを介して機器Ａ１０５の制御完了信号を受信する。携帯端末制御手段２０５は制御完了信号に含まれる機器情報と不揮発性メモリ２０４に登録している機器情報から制御対象機器を確認し、表示手段２０１に機器Ａ１０５の制御完了の確認画面を表示する（図５参照）。この時、受信した機器情報と不揮発性メモリ２０４に登録している機器情報が一致しない場合は、受信した制御完了信号は無効とし、表示手段２０１への制御完了の確認画面は表示しない。
【００３４】
図５において「お湯張りが完了しました」の制御完了の確認画面の表示に対して、使用者はキー入力手段２０２の操作により「確認」のボタンを押下する。これによって制御完了の安心感と帰宅するまでに制御完了していなければ予め制御対象機器の故障を予測することができる。また、「お湯張りが完了しました」の制御対象機器の制御完了の確認画面の表示が行われた時、使用者がこの確認画面に気づくように携帯端末１０１からアラーム音や音声メッセージ、振動などを発生することが好ましい。
【００３５】
次に、先に述べていた携帯端末１０１への機器情報の登録において具体的な制御様態について図１、図２、図３を用いて述べる。
【００３６】
自宅１０４の機器Ａ１０５、機器Ｂ１０６、機器Ｃ１０７は、宅内通信回線１０８を介して宅内通信装置１０３と接続されている。宅内通信装置１０３の所定の操作により宅内通信装置１０３が機器登録モードへ移行すると接続機器それぞれから、ある状態から指定したある状態へ変化するまでの（例えば、ふろの湯張りから湯張り完了までの）標準時間、制御パターン、機器名、メーカー名、製造年月日などの情報を取得し、それらをまとめて機器情報として記憶手段３０２に保存し機器登録モードを終了する。
【００３７】
携帯端末１０１への機器登録の方法であるが、携帯端末１０１を所定の操作により宅外通信回線１０２を介して宅内通信装置１０３の記憶手段３０２から、登録した機器情報の全てを受信し不揮発性メモリ制御手段２０３により不揮発性メモリ２０４へ機器情報を保存する。宅内通信装置１０３からの機器情報の取得であるが、所定の操作の実行で行っても良いし、定期的または間欠的に行ってもよい。
【００３８】
また、不揮発性メモリ２０４へ登録した機器情報は、不揮発性メモリ制御手段２０３により、携帯端末１０１の電源投入時、または定期的または間欠的のいずれかの周期で不揮発性メモリ２０４から、携帯端末制御手段２０５のメモリ上へ読み出し、機器情報のリフレッシュを行う。
【００３９】
図６は本発明の携帯端末装置の動作を説明するためのフローチャートである。図６において、図２に示す携帯端末制御手段２０５は、ＳＴＥＰ１で位置検出手段２０７から出力する現在位置データから現在位置を確認し、ＳＴＥＰ２で過去にサンプリングしたいくつかの現在位置データとデータのサンプリングの時間間隔から携帯端末１０１の移動速度を求める。
【００４０】
ＳＴＥＰ３で携帯端末制御手段２０５は、すでに携帯端末１０１から機器Ａ１０５の遠隔制御を実施しているか否かを確認する。制御が実施されていない場合（Ｎｏ）はＳＴＥＰ４で携帯端末制御手段２０５は位置検出手段２０７が出力する現在位置データと、上述の携帯端末１０１の移動速度と、不揮発性メモリ２０４に登録されている機器Ａ１０５の機器情報に含まれる、ある状態から指定したある状態に変化するまでの時間とから、使用者が目的地へ到着するまでに制御対象機器の状態が、指定したある状態への変化が完了している制御開始信号の送信時期の判定処理を行う。
【００４１】
携帯端末制御手段２０５が機器Ａ１０５に対して制御開始信号の送信時期と判定した場合（Ｙｅｓ）、表示手段２０１に機器Ａ１０５の制御を実行するか否かの確認画面の表示を行うが、報知あり、報知なしの選択は使用者の設定によって変更することができる。ＳＴＥＰ５では確認画面の表示の設定が報知あり、報知なしのどちらの設定になっているかを確認し、報知あり（Ｙｅｓ）であればＳＴＥＰ６で表示手段２０１に機器Ａ１０５の制御を行うか否かの確認画面を表示する（図４参照）。
【００４２】
この確認画面に対して使用者がＳＴＥＰ７で「はい」を選択した場合（Ｙｅｓ）、携帯端末制御手段２０５はＳＴＥＰ８で機器情報を含む制御開始信号を出力し、情報通信手段２０６とアンテナ２０８と宅外通信回線１０２を介して機器Ａ１０５に制御開始信号を送信する。機器Ａ１０５の制御を行うか否かの確認画面で使用者がＳＴＥＰ７で「いいえ」を選択した場合（Ｎｏ）、ＳＴＥＰ４で携帯端末制御手段２０５が機器Ａ１０５に対して制御開始信号の送信時期と判定しない場合（Ｎｏ）は制御開始信号の出力を行わず、機器Ｂ１０６の制御開始信号の送信時期の判定処理を実行する。また、ＳＴＥＰ４で制御開始信号の送信時期を判定し（Ｙｅｓ）、かつＳＴＥＰ５で報知なしの設定が判定できた時（Ｎｏ）、携帯端末制御手段２０５は確認画面の表示を行わずにＳＴＥＰ８で制御開始信号を送信する。
【００４３】
ＳＴＥＰ３において、すでに携帯端末１０１から機器Ａ１０５の制御を実施している場合（Ｙｅｓ）、携帯端末制御手段２０５はＳＴＥＰ９で移動速度が変化しているか否かを確認する。移動速度が変化している場合（Ｙｅｓ）、使用者の帰宅時に機器Ａ１０５の状態が指定したある状態への変化が完了する（例えば、ふろの湯張り開始から湯張り完了まで）ような最適な制御パターンを検索する。ＳＴＥＰ１０で前記最適制御パターンを機器情報に格納し、この機器情報を含む制御開始信号を機器Ａ１０５に再度送信する。ＳＴＥＰ３において、すでに携帯端末１０１から機器Ａ１０５の制御を実施している場合（Ｙｅｓ）かつＳＴＥＰ９で移動速度に変化がない場合（Ｎｏ）、携帯端末制御手段２０５は機器Ｂ１０６の制御開始信号の送信時期の判定処理を実行する。
【００４４】
機器Ｂ１０６、機器Ｃ１０７においても機器Ａ１０５と同じ図６の点線で囲まれた部分のＳＴＥＰ３〜ＳＴＥＰ１１を行うため、説明は省略する。機器Ｂ１０６、機器Ｃ１０７の制御開始信号の送信時期の判定処理が終了すると、再度ＳＴＥＰ１に戻り携帯端末制御手段２０５は携帯端末１０１の現在位置の確認を行う。
【００４５】
図１及び図３に示す接続機器は機器Ａ１０５、機器Ｂ１０６、機器Ｃ１０７の３種類だけであるが、機器の接続可能数はこれら図に示された数に限らない。
【００４６】
以上のように、本実施の形態においては、携帯端末装置の現在位置データと制御対象機器の、ある状態から指定したある状態に変化するまでの時間から制御対象機器の制御開始時期を判断し、遠隔地から制御対象機器へ制御開始信号を送信するため、例えばふろの湯張りや節電中の湯沸かしポットの再沸騰やエアコンや空気清浄機、加湿器による部屋の空調、あるいは洗濯機の運転や炊飯器の炊飯、温水洗浄便座の暖房など様々な家庭電化機器において、指定したある状態へ変化するまで時間を要する機器の利用においても、帰宅時には機器の状態が指定したある状態へ変化が完了しており、快適な生活環境を得ることができる。
【００４７】
また、現在位置データから移動速度を計測し、移動速度に応じて制御対象機器の最適な制御パターンを制御対象機器へ送信するため、帰宅中の移動速度が変わり帰宅時間が早くなる場合でも、例えばエアコンのコンプレッサーの回転数を増加する冷却モードに変更するような制御開始信号を自宅へ送信することによって帰宅時には変わりなく快適な生活環境を得ることができる。
【００４８】
さらに、携帯端末装置１０１は表示手段２０１を備え、携帯端末制御手段２０５が制御対象機器の制御開始信号の送信時期を判定した時、前記表示手段２０１に制御対象機器の制御を実行するか否かを報知することを特徴とし、使用者が帰宅時に使用する機器の選別が可能なため、使用しない機器においては電気代の無駄な消費が削減でき、サービス性が高くなる。
【００４９】
さらに、携帯端末制御手段２０５が制御対象機器の制御開始信号の送信時期を判定した時、前記表示手段２０１に制御対象機器に対する制御実行報知の有無を選択することを特徴とし、使用者が報知有無の選択を機器全体または機器毎に行えるため、例えば機器毎に設定した場合、部屋の照明は帰宅時間に関係なく必ず点灯させたいので報知なしの設定とし、また窓のカーテンの開閉は帰宅時間が昼と夜によって制御内容を変更したいため報知ありの設定とするなど、使用者に対してサービス性が高くなる。
【００５０】
さらに、携帯端末１０１から制御対象機器の制御開始信号の送信を行い、前記携帯端末１０１が制御対象機器から制御完了信号を受信した時、前記表示手段２０１に制御完了報知することを特徴とし、制御対象機器の制御完了の確認が行えるため、使用者は制御完了の安心感と帰宅するまでに制御完了していなければ予め制御対象機器の故障を予測することができる。
【００５１】
さらに、携帯端末１０１が制御対象機器から制御完了信号を受信した時、前記表示手段２０１に制御対象機器の制御完了報知の有無を選択することを特徴とし、使用者が報知有無の選択が行えるため、サービス性が高くなる。
【００５２】
さらに、携帯端末１０１は不揮発性メモリ２０１を有し、前記不揮発性メモリ２０４へ制御対象機器の機器情報を保存する不揮発性メモリ制御手段２０３を有することを特徴とし、制御対象機器を携帯端末１０１に１度登録するだけで、使用者は毎日使用する制御対象機器の登録を行う必要がなくなる。また携帯端末１０１の電源ＯＦＦまたはバッテリー切れなどが発生しても、制御対処機器の機器情報を損なうことがなくなる。
【００５３】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムであれば、磁気メディアや光メディアなどの記録媒体に記録したりインターネットなどの通信回線を用いて配信することでプログラムの配布・更新やインストール作業が簡単にできる。
【産業上の利用可能性】
【００５４】
以上のように、本発明にかかる移動端末装置およびそのプログラムは、移動端末装置の現在位置データと、前記現在位置データから求める移動端末装置の移動速度と制御対象機器のある状態から指定したある状態に変化するまでの時間から、制御対象機器の制御開始時期を判断し、遠隔地から制御対象機器へ制御開始信号を送信するため、例えばふろの湯張りや節電中の湯沸かしポットの再沸騰やエアコンによる部屋の温調の様な指定したある状態へ変化するまで時間を要する機器の利用においても、帰宅時には機器の状態が指定したある状態へ変化が完了しており、快適な生活環境を得ることができる。
【００５５】
また、現在位置データから移動速度を計測し、移動速度に応じて制御対象機器の最適な制御パターンを制御対象機器へ送信するため、帰宅中の移動速度が変わり帰宅時間が早くなる場合でも、例えばエアコンのコンプレッサーの回転数を増加する冷却モードに変更するような制御開始信号を自宅へ送信することによって帰宅時には変わりなく快適な生活環境を得ることができる。
【図面の簡単な説明】
【００５６】
【図１】本発明の実施の形態１における携帯端末装置の構成図
【図２】本発明の実施の形態１における携帯端末装置のブロック図
【図３】本発明の実施の形態１における宅内通信装置のブロック図
【図４】本発明の実施の形態１における携帯端末装置の制御対象機器の制御実行を行うか否かの確認画面のイメージ図
【図５】本発明の実施の形態１における携帯端末装置の制御対象機器の制御完了の確認画面のイメージ図
【図６】本発明の実施の形態１における携帯端末装置の動作を説明するためのフローチャート
【図７】従来の携帯端末装置のブロック図
【符号の説明】
【００５７】
１０１  携帯端末装置（移動端末装置）
１０３  宅内通信装置
１０４  自宅
１０５  機器Ａ（制御対象機器）
１０６  機器Ｂ（制御対象機器）
１０７  機器Ｃ（制御対象機器）
２０１  表示手段
２０３  不揮発性メモリ制御手段
２０４  不揮発性メモリ
２０５  携帯端末制御手段（移動端末制御手段）
２０６  情報通信手段
２０７  位置検出手段
【図１】
2005223799.tif 000003
【図２】
2005223799.tif 000004
【図３】
2005223799.tif 000005
【図４】
2005223799.tif 000006
【図５】
2005223799.tif 000007
【図６】
2005223799.tif 000008
【図７】
2005223799.tif 000009